(57)【要約】      （修正有）【課題】設置が簡単で、安全性を確保できる一体式フレームのエレベーター構造を提供する。【解決手段】底部に、固定孔が形成された台座が設置され、フレームの各隅に直立させられる複数のメイン棒と、各メイン棒の間に設置され、各メイン棒を平行に維持する複数の横棒と、複数のメイン棒からなる空間の周りを囲んで、建物の各フロアに対応して出入り口が設置される複数の壁板と、が含有され、また、各主支持棒の底部に、台座が設置され、台座に、固定孔が形成される。【選択図】図１
0003163847.tif 000002
【実用新案登録請求の範囲】
【請求項１】
底部に、固定孔が形成された台座が設置され、フレームの各隅に直立させられる複数のメイン棒と、
各メイン棒の間に設置される複数の横棒と、
複数のメイン棒からなる空間の周りを囲んで、建物の各フロアに対応して出入り口が設置される複数の壁板と、
が含有される、
ことを特徴とする一体式フレームのエレベーター構造。
【請求項２】
更に、土台、予め、フレームの台座を固定するためのボルトが埋め込まれることを特徴とする請求項１に記載の一体式フレームのエレベーター構造。
【請求項３】
上記壁板が、複数のＣ型スチールを配列することからなり、横棒が、水平に、壁板に挿設されることを特徴とする請求項１に記載の一体式フレームのエレベーター構造。
【請求項４】
各メイン棒と横棒及び壁板の複数のＣ型スチールが、建物のエレベーター昇降路のセメント壁板に嵌合されることを特徴とする請求項２か３に記載の一体式フレームのエレベーター構造。
【請求項５】
全体として、上記フレームの横断面が矩形であることを特徴とする請求項２又は３に記載の一体式フレームのエレベーター構造。
【請求項６】
上記メイン棒が、キャスチングやローリングにより形成されることを特徴とする請求項２又は３に記載の一体式フレームのエレベーター構造。
【請求項７】
更に、エレベーターシステムが含まれることを特徴とする請求項２又は３に記載の一体式フレームのエレベーター構造。
【請求項８】
上記フレームに、耳が設置されることを特徴とする請求項２又は３に記載の一体式フレームのエレベーター構造。
【考案の詳細な説明】
【技術分野】
【０００１】
本考案は、エレベーターの構造に関し、さらに詳しくは、ホイストで、直接に、エレベーター箱を建物内に吊り上げて設置することができる一体式フレームのエレベーター構造に関する。
【背景技術】
【０００２】
一般の、従来のエレベーターは、建物をセメントコンクリートで成型した後、建物に予め形成されたエレベーター昇降路内に、エレベーターシステムが装備する工法が採用される。そのため、エレベーターの構造に使用される全ての部材及び部品が、それぞれ分解されてから、工事現場に搬入することが必要であり、組み立てに相当の作業量と日数を要する状況にあった。
【考案の開示】
【考案が解決しようとする課題】
【０００３】
従って、本考案の主な課題は、設置が簡単で、作業コストが低減されたエレベーター構造を提供することにある。
【０００４】
また、本考案の他の課題は、エレベーターの操作の安全性を確保できるエレベーター構造を提供することにある。
【課題を解決するための手段】
【０００５】
そこで、本考案者は、前記課題を解決するために鋭意検討を重ねた結果、エレベータ構造のフレームを一体化することにより、前記課題を解決できることを見出し、かかる知見に基いて本考案に到達した。
【０００６】
かくして、請求項１の考案によれば、底部に、固定孔が形成された台座が設置され、フレームの各隅に直立させられる複数のメイン棒と、各メイン棒の間に設置される複数の横棒と、複数のメイン棒からなる空間の周りを囲んで、建物の各フロアに対応して出入り口が設置される複数の壁板と、が含有されることを特徴とする一体式フレームのエレベーター構造が提供される。
【０００７】
請求項２の考案によれば、更に、土台、予め、フレームの台座を固定するためのボルトが埋め込まれることを特徴とする請求項１に記載の一体式フレームのエレベーター構造が提供される。
【０００８】
請求項３の考案によれば、上記壁板が、複数のＣ型スチールを配列することからなり、横棒が、水平に、壁板に挿設されることを特徴とする請求項１に記載の一体式フレームのエレベーター構造が提供される。
【０００９】
請求項４の考案によれば、各メイン棒と横棒及び壁板の複数のＣ型スチールが、建物のエレベーター昇降路のセメント壁板に嵌合されることを特徴とする請求項２か３に記載の一体式フレームのエレベーター構造が提供される。
【００１０】
請求項５の考案によれば、全体として、上記フレームの横断面が矩形であることを特徴とする請求項２又は３に記載の一体式フレームのエレベーター構造が提供される。
【００１１】
請求項６の考案によれば、上記メイン棒が、キャスチングやローリングにより形成されることを特徴とする請求項２又は３に記載の一体式フレームのエレベーター構造が提供される。
【００１２】
請求項７の考案によれば、更に、エレベーターシステムが含まれることを特徴とする請求項２又は３に記載の一体式フレームのエレベーター構造が提供される。
【００１３】
請求項８の考案によれば、上記フレームに、耳が設置されることを特徴とする請求項２又は３に記載の一体式フレームのエレベーター構造が提供される。
【考案の効果】
【００１４】
本考案によれば、前記の如き構成からなるので、設置が容易であり、作業効率を著しく向上させることができる。
【考案を実施するための最良の形態】
【００１５】
以下、図面を参照しながら、本考案の特徴や技術内容について、詳しく説明するが、それらの図面等は、参考や説明のためであり、本考案は、それによって限定されることが無い。
【００１６】
図１乃至図５によれば、本考案に係るエレベータ構造は、複数のメイン棒１１と複数の壁板１３、複数の横棒１２及び土台５２が含まれ、上記複数のメイン棒１１は、それぞれ、四隅に設置され、また、上記メイン棒１１は、ローリングやキャスチングにより形成された一体棒鋼である。その長さは、運搬車両で運搬できる範囲に制限される（約１２乃至１３メートル）。そして、その横断面は、矩形が良く、また、各メイン棒１１に、台座１１１が半田付けられ、上記台座に、複数の固定孔１１２が形成され、上記固定孔１１２に、土台５２に予め設置されたボルト５２１が、貫設され、これにより、固定される。
【００１７】
上記複数の壁板１３は、複数のＣ型スチール１３１から構成され、複数のＣ型スチール１３１が、開口１３２が外へ向かうように、半田により並列されて、壁板１３になり、そして、横棒１２は、水平的に、等距離に壁板１３に貫設される。即ち、Ｃ型スチール１３１に貫設して、壁板１３の強度が強化され、その後、各メイン棒１１の間に半田付けられる、各メイン棒１１を囲んで、エレベーター箱２やエレベーターシステムパーツ、例えば、昇降モーター３やつりあいおもり４が収納される長方体の立体空間が形成される。また、壁板１３のＣ型スチール１３１の長さが、メイン棒１１よりやや短くすることにより、組立てられた壁板１３が、直接に、各メイン棒１１の間に半田付けられることができ、また、メイン棒１１より多めに短くしてもよく、複数枚の組立てられた壁板１３が、メイン棒１１の間に半田付けられて利用してもよく、壁板１３の形式は、いかにしても、同じ効果が得られる。また、上記壁板１３において、建物５の各フロアに対応して、エレベーター箱２が各フロアにストップする時人の出入りのためのエレベーター出入り口１３３が設置される。
【００１８】
上記土台５２は、建物５の基礎の一部からなり、一階目５０の地面５０１に、凹槽５２０が形成され、上記凹槽５２０の長さや幅が、エレベーターフレーム１の長さや幅に等しく、凹槽５２０の深さが、約１乃至１．５メートルになり、その底面に、予め、各メイン棒１１の台座１１１の固定孔１１２に貫設される、複数のボルト５２１が設置されることにより、構成される。
【００１９】
上記の構造により、各メイン棒１１が、それぞれ、各隅に設置され、また、Ｃ型スチール１３１と横棒１２とからなる壁板１３を、各メイン棒１１の間に半田付け、エレベーターの一体式フレーム１が形成され、そして、フレーム１の内部に、エレベーター箱２や昇降モーター３、ケーブル、つりあいおもり４及び電気制御箱等のエレベーターシステムの各パーツを実装する。また、一体式フレーム１の頂端に、耳１１３が設置されて、ホイストのケーブルを吊り下げる。
【００２０】
また、本考案は、一体式フレーム１のエレベーター構造であり、全ての部材が、工場において作製されるので、工場の空間が十分にあり、設備が完全で、熟練者が集中的に存在するため、作製には、より高効率になり、容易に、短い時間内に、一体式フレーム１のエレベーターを完成できる。その後、建物５の工事現場に運搬して、実装すればよい。
【００２１】
実装する時、まず、ホイストのケーブルを、耳１１３に掛けて、本考案に係る一体式フレーム１のエレベーターを、建物５に、予め設置されたエレベーター昇降路５１に搬入した後、そのフレーム１のメイン棒１１の台座１１１の固定孔１１２を、土台５２に予め設置されたボルト５２１に合わせて設置し、その後、一体式フレーム１の垂直度を調整して、ナット５２２を締め、最後に、セメントコンクリート６を、一体式フレーム１の周りに注入し、Ｃ型スチール１３１から構成された壁板１３により、止められるため、セメントコンクリート６が、一体式フレーム１の内部に流れ込むことない。しかし、セメントコンクリート６を注入うする時、電気設備に対して、防水の施策を採らなければならなく、また、土台５２において、揚水設備を用意して、土台５２に流れ込んだ水を引き出す必要がある。
【００２２】
以上のように、本考案に係る一体式フレームのエレベーター構造は、予め、工場で、フレームやエレベーターシステムを作製し、その後、建物の工事現場に搬入して実装し、最後に、コンクリートを注入すると、本考案の一体式フレームのエレベーターが実装完了する。そのため、本考案によれば、従来の技術に比較して、仕事の効率が向上し、作業コストが低減される利点が得られる。
【００２３】
以上の説明は、本考案のより良い実施例であり、本考案は、それらによって限定されるものでは無く、本考案に係わる考案登録請求の範囲や明細書の内容に基づいて行った均等の変更や修正は、全てが、本考案の範囲内に含まれる。
【図面の簡単な説明】
【００２４】
【図１】本考案の一実施形態によるエレベータフレームの斜視図である。
【図２】本考案の一実施形態によるエレベータフレーム構造を建物のエレベーター昇降路に実装する時の概念図である。
【図３】本考案の一実施形態によるエレベータフレーム構造に係る一体式フレームが、土台に設置された状態を示す平面断面図である。
【図４】本考案の一実施形態によるエレベータフレーム構造に係る一体式フレームが、土台に設置された状態の立体分解図である。
【図５】本考案の一実施形態によるエレベータフレーム構造の断面図である。
【符号の説明】
【００２５】
１  フレーム
１１  メイン棒
１１１  台座
１１２  固定孔
１１３  耳
１２  横棒
１３  壁板
１３１  Ｃ型スチール
１３２  開口
１３３  出入り口
２  エレベーター箱
３  昇降モーター
４  つりあいおもり
５  建物
５０  一階目
５０１  地面
５１  エレベーター昇降路
５２  土台
５２０  凹槽
５２１  ボルト
５２２  ナット
６  セメントコンクリート
【図１】
0003163847.tif 000003
【図２】
0003163847.tif 000004
【図３】
0003163847.tif 000005
【図４】
0003163847.tif 000006
【図５】
0003163847.tif 000007